(57)【要約】【課題】暗い所でもキー入力部および表示部を明るく照明する。【解決手段】下ケース１と上ケース２とがヒンジ部３によって回動可能に連結されて互いに重なり合って閉じる電子辞書において、上ケース２に設けられた表示部５と、下ケース１に表示部５と対向して設けられたキーボード４と、このキーボード４に設けられて下ケース１と上ケース２とが開いた状態のときにキーボード４および表示部５を照明する照明部１０とを備えた。従って、使用するときに照明部１０によってキーボード４の上面および表示部５を明るく照明することができ、これにより暗い所でもキー表示を判読しやすくして、暗い所でのキー操作性を向上させると共に、表示部５がバックライト機能を備えていなくても、表示部５に表示された情報をも視認できる。このため、暗い所でも良好に表示部５に表示された情報を見ながらキーボード４で入力操作ができる。【選択図】        図３
2005011096.tif 000002
【特許請求の範囲】
【請求項１】
第１ケースと第２ケースとがヒンジ部によって回動可能に連結されて互いに重なり合った状態で閉じる電子機器において、
前記第２ケースに前記第１ケースと対向して設けられた表示部と、
前記第１ケースに前記表示部と対向して設けられたキー入力部と、
このキー入力部に設けられて前記第１、第２ケースが開いた状態のときに前記キー入力部の上面および前記表示部を照明する照明部と
を備えていることを特徴とする電子機器。
【請求項２】
前記照明部は、前記キー入力部にその上下面方向に回転可能に設けられた回転体と、前記回転体の内部に設けられた反射板と、前記回転体の周面に設けられ、且つ前記回転体の回転操作によって前記キー入力部の上側に露出した状態のときに前記反射板で反射された光を前記キー入力部の上面および前記表示部に向けて照射するレンズ部と、このレンズ部が前記キー入力部の上側に露出した状態のときに前記反射板に光を照射する発光素子とを備えていることを特徴とする請求項１に記載の電子機器。
【請求項３】
前記照明部は、前記キー入力部に上下方向に移動可能に設けられ、且つ押圧操作により上限位置と下限位置とに規制される押釦と、前記押釦の内部に設けられた反射板と、前記押釦の側面に設けられ、且つ前記押釦が前記上限位置に規制されたときに前記キー入力部の上側に露出して前記反射板で反射された光を前記キー入力部の上面および前記表示部に向けて照射するレンズ部と、このレンズ部が前記キー入力部の上側に露出したときに前記反射板に光を照射する発光素子とを備えていることを特徴とする請求項１に記載の電子機器。
【請求項４】
前記照明部は、前記押釦を押圧操作するごとに、前記押釦を下限位置と上限位置とのいずれかに移動させて位置規制するポップアップ機構を備えていることを特徴とする請求項３に記載の電子機器。
【発明の詳細な説明】
【０００１】
【発明の属する技術分野】
この発明は、電子辞書や携帯電話機などの折畳可能な電子機器に関する。
【０００２】
【従来の技術】
従来、折畳可能な電子機器である電子辞書においては、下ケースと、キー入力部を有する中ケースと、表示部を有する上ケースとがその順で重なり合う状態で、上ケースと下ケースとが第１ヒンジ部によって回動可能に取り付けられ、且つ中ケースと上ケースとが第２ヒンジ部によって回動可能に取り付けられ、この状態で使用するときに、下ケースと上ケースとを開くと、これに連動して中ケースが下ケース上をスライドして第２ヒンジ部側が高くなるように中ケースを下ケース上に傾斜させることにより、中ケースのキー入力部が手前側下がりに傾斜するように構成したものがある（例えば、特許文献１参照。）。
【０００３】
【特許文献１】
特開２００１−５５５７号公報（Ｐ２００１−５５５７Ａ）
【０００４】
【発明が解決しようとする課題】
この特許文献１の電子辞書では、使用するときに下ケースと上ケースとを開くと、中ケースのキー入力部が下ケース上に手前側下がりに傾斜して露出すると共に、上ケースに表示部がキー入力部に対向して露出するので、この表示部に表示された情報を見ながらキー入力部で入力操作することができるほか、表示部がバックライト機能を備えた構造であれば、暗い所で使用する際、表示部のバックライト機能でキー入力部を照明することができるが、バックライト機能の明るさだけではキー入力部を十分に照明することができず、キー表示が判読しにくいため、暗い所ではキー操作性が低下するという問題がある。
【０００５】
この発明の課題は、暗い所でもキー入力部および表示部を明るく照明できるようにすることである。
【０００６】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図８に示すように、第１ケース（下ケース１または第１ケース３０）と第２ケース（上ケース２または第２ケース３１）とがヒンジ部（３）によって回動可能に連結されて互いに重なり合った状態で閉じる電子機器において、前記第２ケースに前記第１ケースと対向して設けられた表示部（５）と、前記第１ケースに前記表示部と対向して設けられたキー入力部（キーボード４）と、このキー入力部に設けられて前記第１、第２ケースが開いた状態のときに前記キー入力部の上面および前記表示部を照明する照明部（１０、１５）とを備えていることを特徴とする電子機器である。
【０００７】
この発明によれば、使用するときに、ヒンジ部を中心に第１、第２ケースを回動させて第１ケースに対し第２ケースを起立させて開くと、第１ケースのキー入力部と第２ケースの表示部とが互いに対向して露出し、この状態で照明部によって第１ケースのキー入力部と第２ケースの表示部とを照明するので、暗い所でもキー入力部の上面および表示部を明るく照明することができる。この場合、照明部がキー入力部に設けられているので、特にキー入力部を明るく照明することができる。このため、暗い所でもキー表示を判読しやすくなり、暗い所でのキー操作性を向上させることができる。また、照明部によって表示部も照明されるので、表示部がバックライト機能を備えていなくても、表示部に表示された情報をも視認することができる。これにより、暗い所でも良好に表示部に表示された情報を見ながらキー入力部で入力操作をすることができる。
【０００８】
請求項２に記載の発明は、図１〜図４、図７および図８に示すように、前記照明部（１０）が、前記キー入力部（キーボード４）にその上下面方向に回転可能に設けられた回転体（１１）と、前記回転体の内部に設けられた反射板（１３）と、前記回転体の周面に設けられ、且つ前記回転体の回転操作によって前記キー入力部の上側に露出した状態のときに前記反射板で反射された光を前記キー入力部の上面および前記表示部に向けて照射するレンズ部（１４）と、このレンズ部が前記キー入力部の上側に露出したときに前記反射板に光を照射する発光素子（１２）とを備えていることを特徴とする請求項１に記載の電子機器である。
【０００９】
この発明によれば、使用するときに、照明部の回転体を回転させてレンズ部をキー入力部の上面および表示部に向けてキー入力部の上側に露出させ、この状態で発光素子が発光すると、この発光素子で発光した光を回転体内の反射板によってレンズ部に向けて反射し、この反射した光をレンズ部によってキー入力部の上面および表示部に向けて照射することができ、これにより暗い所でも確実にキー入力部および表示部を明るく照明することができる。
【００１０】
請求項３に記載の発明は、図５および図６に示すように、前記照明部（１５）が、前記キー入力部（キーボード４）に上下方向に移動可能に設けられ、且つ押圧操作により上限位置と下限位置とに規制される押釦（１６）と、前記押釦の内部に設けられた反射板（１８）と、前記押釦の側面に設けられ、且つ前記押釦が前記上限位置に規制されたときに前記キー入力部の上側に露出して前記反射板で反射された光を前記キー入力部の上面および前記表示部（５）に向けて照射するレンズ部（１９）と、このレンズ部が前記キー入力部の上側に露出したときに前記反射板に光を照射する発光素子（１７）とを備えていることを特徴とする請求項１に記載の電子機器である。
【００１１】
この発明によれば、使用しないときに、照明部の押釦を押圧操作により下限位置に規制すると、押釦の高さを低くすることができるので、コンパクトに携帯することができ、また使用するときに、照明部の押釦を押圧操作により上限位置に規制すると、レンズ部がキー入力部の上面および表示部に向いてキー入力部の上側に露出し、この状態で発光素子が発光すると、この発光素子で発光した光を押釦内の反射板によってレンズ部に向けて反射し、この反射した光をレンズ部によってキー入力部の上面および表示部に向けて照射することができ、これにより暗い所でも確実にキー入力部および表示部を明るく照明することができる。
【００１２】
請求項４に記載の発明は、図５および図６に示すように、前記照明部（１５）が、前記押釦（１６）を押圧操作するごとに、前記押釦を下限位置と上限位置とのいずれかに移動させて位置規制するポップアップ機構（コイルばね２１、弾性フック２２、ガイド溝２３、解除突起２４）を備えていることを特徴とする請求項３に記載の電子機器である。
この発明によれば、押釦を押圧操作するごとに、ポップアップ機構によって押釦を下限位置と上限位置とのいずれかに移動させて位置規制することができるので、押釦の操作が簡単で、容易に押釦を下限位置と上限位置とに切り替えることができ、これにより使い勝手の良いものを得ることができる。
【００１３】
【発明の実施の形態】
［第１実施形態］
以下、図１〜図４を参照して、この発明を電子辞書に適用した第１実施形態について説明する。
図１はこの発明の電子辞書における携帯時の外観斜視図、図２はその使用時における外観斜視図、図３は図２の側面図、図４は図３の要部を拡大した断面図である。
この電子辞書は、図１に示すように、下ケース１と上ケース２とがその各後端部（同図では右端部）においてヒンジ部３によって回動可能に取り付けられ、このヒンジ部３を中心に下ケース１と上ケース２とが相対的に回動して閉じると、下ケース１と上ケース２とが互いに重なり合うように構成されている。
【００１４】
この場合、下ケース１は、図１および図２に示すように、ほぼ平板状に形成され、その後端部（図２では右端部）がその前部側（同図では左側）よりも厚く形成されている。この下ケース１の後端部を除く上面には、図２に示すように、キーボード４が設けられている。上ケース２は、下ケース１と同じサイズのほぼ平板状に形成されており、この上ケース２には、図２に示すように、表示部５が下ケース１のキーボード４に対向して設けられている。この表示部５は、液晶表示素子やＥＬ表示素子（エレクトロルミネッセンス表示素子）などの平面型の表示素子からなり、電気光学的に情報を表示するように構成されている。なお、この表示部５は、バックライト装置を備えていても良いが、必ずしもバックライト装置を備えていなくても良い。
【００１５】
ヒンジ部３は、図１〜図３に示すように、下ケース１の後端部（図１では右端部）における上面の中間部分に設けられたほぼ半円形状の凸部６と、上ケース２の後端部（図１では右端部）における中間部分に下ケース１の凸部６と対応して設けられた凹部７とを備え、図１および図２に示すように下ケース１の凸部６が上ケース２の凹部７に嵌合した状態で、図３に示すように下ケース１の凸部６と上ケース２の凹部７との両端部同士が連結軸８によって回動可能に取り付けられ、これにより下ケース１と上ケース２とが連結軸８を中心に相対的に回動して開閉するように構成されている。
【００１６】
キーボード４は、図２に示すように、文字キー、ファンクションキー、カーソルキー、決定キーなどの辞書機能に必要な各種のキートップ４ａを備えているほか、このキーボード４におけるヒンジ部３と反対側の端部に位置する個所、つまりキーボード４の手前側（図２では左下側）に位置する所定個所、例えば決定キーの近傍には、照明部１０が設けられている。この照明部１０は、図４に示すように、キーボード４にその上下面方向に回転可能に設けられた円筒状の回転体１１と、キーボード４の下側における回転体１１の近傍に配置された発光素子１２と、回転体１１の内部に設けられた反射板１３と、回転体１１の周面に設けられたレンズ部１４とを備えている。
【００１７】
この場合、回転体１１は、図４に示すように、円筒状に形成され、その両端面にそれぞれ軸部（図示せず）が設けられ、これら軸部がキーボード４に回転可能に取り付けられ、これによりキーボード４の上下面方向に回転するように構成されている。発光素子１２は、発光ダイオード（ＬＥＤ）などのランプからなり、キーボード４の下面側における回転体１１の近傍に配置されている。この場合、発光素子１２は、回転体１１の軸方向つまり長手方向の中間部に１個だけ配置した構成でも良く、また回転体１１の軸方向に沿って複数個配置した構成でも良い。また、この回転体１１は、軸部を中心に回転してレンズ部１４がキーボード４の上側に露出した状態のときに、発光素子１２に対応する個所に採光孔１１ａが設けられ、この採光孔１１ａを通して発光素子１２の光が回転体１１内に入射するように構成されている。
【００１８】
反射板１３は、図４に示すように、ほぼ凹面鏡状に形成され、回転体１１の内部に配置され、回転体１１の採光孔１１ａから入射した光をレンズ部１４に向けて反射させて集光させるように構成されている。レンズ部１４は、回転体１１の周面に設けられ、回転体１１の回転操作によってキーボード４の上側に露出した状態のときに、反射板１３で反射されて集光された光をキーボード４の上面および表示部５に向けて照射するように構成されている。この場合、回転体１１は、その回転操作に応じて、図４に示すようにレンズ部１４をキーボード４の上側に露出させる位置と、レンズ部１４をキーボード４の下側に隠す位置とに移動させると共に、レンズ部１４がキーボード４の上側に露出したときに、発光素子１２を点灯させるスイッチ（図示せず）をオンさせるように構成されている。
【００１９】
次に、このような電子辞書の作用について説明する。
まず、この電子辞書を使用しないときには、照明部１０の回転体１１を図４において時計回りに回転させて、レンズ部１４をキーボード４の下側に移動させると共に、発光素子１２を消灯させ、この状態でヒンジ部３を中心に下ケース１と上ケース２とを回動させて閉じる。すると、図１に示すように、下ケース１と上ケース２との間にキーボード４が挟まれた状態で、下ケース１と上ケース２とが重なり合うので、機器全体がコンパクトになり、これにより良好に携帯することができると共に、下ケース１と上ケース２とによってキーボード４、照明部１０、および表示部５を保護することができる。
【００２０】
また、この電子辞書を使用するときには、ヒンジ部３を中心に下ケース１と上ケース２とを回動させて開くと、図２および図３に示すように、下ケース１上に上ケース２が傾斜して起立し、下ケース１上にキーボード４が露出すると共に、上ケース２の表示部５がキーボード４に対向して露出する。これにより、表示部５に表示された情報を見ながらキーボード４を入力操作することができる。この状態で、照明部１０の回転体１１を図４において反時計回りに回転させ、レンズ部１４をキーボード４の上側に露出させてキーボード４の上面および表示部５に向けると、回転体１１の採光孔１１ａが発光素子１２に対応し、図示しないスイッチがオンして発光素子１２が発光する。
【００２１】
すると、発光素子１２で発光した光が回転体１１の採光孔１１ａを通して回転体１１内に入射し、この入射した光が反射板１３によって反射されてレンズ部１４に向けて集光され、この集光された光がレンズ部１４でキーボード４の上面および表示部５に向けて照射される。このため、照明部１０によって確実にキーボード４の上面および表示部５を明るく照明することができる。この場合には、照明部１０がキーボード４に設けられているので、特にキーボード４の上面を明るく照明することができる。これにより、暗い所でもキーボード４のキー表示を判読しやすくすることができ、暗い所でのキー操作性を向上させることができる。また、照明部１０によって表示部５も照明されるので、表示部５がバックライト機能を備えていなくても、表示部５に表示された情報をも視認することができる。このため、暗い所でも良好に表示部５に表示された情報を見ながらキーボード４で入力操作することができる。
【００２２】
［第２実施形態］
次に、図５および図６を参照して、この発明を電子辞書に適用した第２実施形態について説明する。なお、図１〜図４に示された第１実施形態と同一部分には同一符号を付して説明する。
この電子辞書は、キーボード４の手前側に位置する所定個所、例えば決定キーの近傍にポップアップ式の照明部１５を配置した構造で、これ以外は第１実施形態と同じ構造になっている。すなわち、この照明部１５は、キーボード４に上下方向に移動可能に設けられた押釦１６と、キーボード４の下側における押釦１６の近傍に配置された発光素子１７と、押釦１６の内部に設けられた反射板１８と、押釦１６の側面に設けられたレンズ部１９とを備えている。
【００２３】
押釦１６は、内部が中空のほぼ箱形状に形成され、キーボード４に設けられたガイド筒２０内に上下方向に移動可能に配置されている。すなわち、この押釦１６は、その下面に配置されたコイルばね２１によって上方に付勢され、押釦１６の側面下部から斜め上方に向けて突出して設けられた弾性フック２２がガイド筒２０の内面に形成されたガイド溝２３内に上下方向に移動可能に挿入された構成になっている。この状態では、押釦１６がコイルばね２１によって押し上げられると、図５に示すように、弾性フック２２がガイド溝２３の上端部２３ａに当接し、これにより上限位置に規制される。また、この状態で、押釦１６がコイルばね２１のばね力に抗して押し下げられると、弾性フック２２がガイド溝２３の下端部２３ｂに当接して弾性変形し、ガイド溝２３の下端部２３ｂを乗り越えた後、図６に示すように、弾性フック２２が弾性復帰してガイド溝２３の下端部２３ｂの下面に係止され、これにより下限位置に規制される。
【００２４】
さらに、図６に示すように、弾性フック２２がガイド溝２３の下端部２３ｂの下面に係止された状態で、押釦１６が更に押し下げられると、弾性フック２２が解除突起２４によって再び弾性変形し、この状態で押釦１６がコイルばね２１のばね力で押し上げられると、弾性フック２２がガイド溝２３の下端部２３ｂに係止されずに通過して、ガイド溝２３内に弾性復帰して挿入し、これにより弾性フック２２がガイド溝２３の上端部２３ａに当接して元の上限位置に規制される。このように、この押釦１６は、押圧操作するごとに、図６に示すようにキートップ４ａとほぼ同じ高さの下限位置と、図５に示すようにキーボード４の上側に突出する上限位置とのいずれかの位置に規制するポップアップ機構を備えた構成になっている。
【００２５】
発光素子１７は、第１実施形態と同様、発光ダイオード（ＬＥＤ）などのランプからなり、図５および図６に示すように、キーボード４の下面側における押釦１６の近傍つまり押釦１６の右側に配置されている。この場合、発光素子１７は、押釦１６の側面の中間部に１個だけ配置した構成でも良く、また押釦１６の側面に沿って複数個配置した構成でも良い。また、押釦１６およびガイド筒２０には、採光孔２５が発光素子１７に対応して設けられている。反射板１８は、図５に示すように、ほぼ平板状に形成され、押釦１６の内部に配置され、押釦１６およびガイド筒２０の採光孔２５を通して押釦１６の内部に入射した光をレンズ部１９に向けて反射するように構成されている。
【００２６】
レンズ部１９は、押釦１６の側面に設けられ、この押釦１６が押圧操作されて図５に示すようにキーボード４の上側に露出した状態のときに、反射板１８で反射された光をキーボード４の上面および表示部５に向けて照射するように構成されている。この場合、レンズ部１９は、図５に示すように押釦１６が上限位置に規制されると、キーボード４の上側に露出し、また図６に示すように押釦１６が下限位置に規制されると、キーボード４の下側に隠れるように構成されている。また、押釦１６は、レンズ部１９がキーボード４の上側に露出したときに、発光素子１７を点灯させるスイッチ（図示せず）をオンさせるように構成されている。
【００２７】
このような電子辞書によれば、使用しないときには、照明部１５の押釦１６をコイルばね２１のばね力に抗して押し下げ、図６に示すように、押釦１６の弾性フック２２をガイド筒２０のガイド溝２３における下端部２３ｂに係止させると、押釦１６がキートップ４ａとほぼ同じ高さの下限位置に規制されて発光素子１７が消灯するので、押釦１６の高さを低くすることができる。この状態で、ヒンジ部３を中心に下ケース１と上ケース２とを回動させて閉じると、第１実施形態と同様、下ケース１と上ケース２との間にキーボード４が挟まれた状態で、下ケース１と上ケース２とが重なり合うので、機器全体がコンパクトになり、これにより良好に携帯することができると共に、下ケース１と上ケース２とによってキーボード４、照明部１５、および表示部５を保護することができる。
【００２８】
また、この電子辞書を使用するときには、ヒンジ部３を中心に下ケース１と上ケース２とを回動させて開くと、図２に示した第１実施形態と同様、下ケース１上に上ケース２が傾斜して起立し、下ケース１上にキーボード４が露出すると共に、上ケース２の表示部５が露出する。これにより、表示部５に表示された情報を見ながらキーボード４を入力操作することができる。この状態で、照明部１５の押釦１６をコイルばね２１のばね力に抗して押し下げると、図６に示すように弾性フック２２が解除突起２４によって弾性変形し、この状態で押釦１６がコイルばね２１のばね力で押し上げられると、弾性フック２２がガイド溝２３の下端部２３ｂに係止されずに通過し、この通過した弾性フック２２が図５に示すようにガイド溝２３内に弾性復帰して挿入すると共に、このガイド溝２３に沿って上方に移動してガイド溝２３の上端部２３ａに当接する。
【００２９】
これにより、押釦１６が図５に示すように上限位置に規制されてキーボード４の上方に突出し、レンズ部１９がキーボード４の上面および表示部５に向いてキーボード４の上側に露出する。このときには、押釦１６およびガイド筒２０の採光孔２５に発光素子１７が対応し、図示しないスイッチがオンして発光素子１７が発光する。すると、発光素子１７で発光した光が押釦１６およびガイド筒２０の採光孔２５を通して押釦１６内に入射し、この入射した光が反射板１８によってレンズ部１９に向けて反射され、この反射された光がレンズ部１９でキーボード４の上面および表示部５に向けて照射される。
【００３０】
このため、この電子辞書においても、第１実施形態と同様、照明部１５によって確実にキーボード４の上面および表示部５を明るく照明することができる。この場合にも、照明部１５がキーボード４に設けられているので、特にキーボード４の上面を明るく照明することができる。このため、暗い所でもキーボード４のキー表示を判読しやすくすることができ、暗い所でのキーボード４の入力操作性を向上させることができる。また、このときにも、照明部１５が表示部５をも照明するので、表示部５がバックライト機能を備えていなくても、表示部５に表示された情報をも視認することができる。これにより、暗い所でも良好に表示部５に表示された情報を見ながらキーボード４で入力操作をすることができる。
【００３１】
［第３実施形態］
次に、図７および図８を参照して、この発明を携帯電話機に適用した第３実施形態について説明する。この場合にも、図１〜図４に示された第１実施形態と同一部分に同一符号を付して説明する。
この携帯電話機は、第１ケース３０と第２ケース３１とを備え、これら第１、第２ケース３０、３１がヒンジ部３によって回動可能に連結され、このヒンジ部３を中心に第１、第２ケース３０、３１が相対的に回動して閉じると、第１、第２ケース３０、３１が互いに重なり合うように構成されている。この場合、第１ケース３０に対向する第２ケース３１の対向面には、表示部５が設けられており、この第２ケース３１のヒンジ部３と反対側の端部（図７では左側端部）には、アンテナ３２が出没可能に設けられている。
【００３２】
また、第１ケース３０には、キーボード４が表示部５に対向して設けられている。このキーボード４は、ダイヤルキー、カーソルキー、ファンクションキー、通話キーなどの電話機能に必要な各種のキートップ４ａを備えているほか、ヒンジ部３と反対側の端部に位置する個所、例えば手前側（図８では左下側）に位置する所定個所に、回転式の照明部１０が設けられている。この照明部１０は、第１実施形態と同様、キーボード４にその上下面方向に回転可能に設けられた円筒状の回転体１１と、キーボード４の下側において回転体１１の近傍に配置された発光素子１２と、回転体１１の内部に設けられて発光素子１２からの光を反射する反射板１３と、回転体１１の周面に設けられて回転体１１の回転操作によってキーボード４の上側に露出したときに反射板１３で反射された光をキーボード４の上面および表示部５に向けて照射させるレンズ部１４とを備えている。
【００３３】
このような携帯電話機によれば、第１実施形態と同様、使用しないときに、照明部１０の回転体１１を回転させて、レンズ部１４をキーボード４の下側に位置させると、発光素子１２が消灯し、この状態でヒンジ部３を中心に第１、第２ケース３０、３１を回動させて閉じると、図７に示すように、第１、第２ケース３０、３１間にキーボード４が挟まれた状態で、第１、第２ケース３０、３１が互いに重なり合う。このため、機器全体がコンパクトになり、これにより良好に携帯することができると共に、第１、第２ケース３０、３１によってキーボード４、照明部１０、および表示部５を保護することができる。
【００３４】
また、この携帯電話機を使用するときには、ヒンジ部３を中心に第１、第２ケース３０、３１を回動させて開くと、図８に示すように、第１ケース３０上に第２ケース３１が傾斜して起立し、第１ケース３０のキーボード４が露出すると共に、第２ケース３１の表示部５がキーボード４に対向して露出する。これにより、表示部５に表示された情報を見ながらキーボード４を入力操作することができる。このときにも、第１実施形態と同様、照明部１０の回転体１１を回転させて、レンズ部１４をキーボード４の上面および表示部５に向けてキーボード４の上側に露出させると、発光素子１２が発光し、キーボード４の上面および表示部５を照明することができる。
【００３５】
すなわち、発光素子１２が発光すると、その発光した光が回転体１１内に入射し、この入射した光が反射板１３によって反射されてレンズ部１４に向けて集光され、この集光された光がレンズ部１４でキーボード４の上面および表示部５に向けて照射される。これにより、第１実施形態と同様、キーボード４の上面および表示部５を明るく照明することができるので、暗い所でもキーボード４のキー表示を判読しやすくすることができ、暗い所でのキー操作性を向上させることができると共に、表示部５がバックライト機能を備えていなくても、表示部５に表示された情報をも視認することができる。このため、暗い所でも良好に表示部５に表示された情報を見ながらキーボード４で入力操作することができる。
【００３６】
なお、上記第３実施形態では、キーボード４に回転式の照明部１０を設けた場合について述べたが、これに限らず、第２実施形態と同じポップアップ式の照明部１５を設けた構造でも良い。このような構造でも、第２実施形態と同様、キーボード４の上面および表示部５を明るく照明することができる。
また、上記第１〜第３実施形態では、回転体１１の外部近傍または押釦１６の外部近傍に発光素子１２または１７を配置したが、これに限らず、回転体１１の内部または押釦１６の内部に発光素子１２または１７を設けた構成でも良い。
さらに、上記第１〜第３実施形態では、電子辞書または携帯電話機に適用した場合について述べたが、これに限らず、例えば電子手帳やノート型のパーソナルコンピュータなどの折畳式の電子機器に広く適用することができる。
【００３７】
【発明の効果】
以上説明したように、この発明によれば、第１ケースと第２ケースとがヒンジ部によって回動可能に連結されて互いに重なり合った状態で閉じる電子機器において、第２ケースに第１ケースと対向して設けられた表示部と、第１ケースに表示部と対向して設けられたキー入力部と、このキー入力部に設けられて第１、第２ケースが開いた状態のときにキー入力部の上面および表示部を照明する照明部とを備えているので、第１、第２ケースを開いて使用するときに、照明部によってキー入力部を明るく照明することができると共に、表示部をも明るく照明することができ、これにより暗い所でもキー表示を判読しやすくなり、暗い所でのキー操作性を向上させることができるほか、表示部がバックライト機能を備えていなくても、表示部に表示された情報をも視認することができ、このため暗い所でも良好に表示部に表示された情報を見ながらキー入力部で入力操作をすることができる。
【００３８】
この場合、照明部が、キー入力部にその上下面方向に回転可能に設けられた回転体と、回転体の内部に設けられた反射板と、回転体の周面に設けられて回転体の回転操作によってキー入力部の上側に露出した状態のときに反射板で反射された光をキー入力部の上面および表示部に向けて照射するレンズ部と、このレンズ部がキー入力部の上側に露出した状態のときに反射板に光を照射させる発光素子とを備えていることにより、回転体を回転させてレンズ部をキー入力部の上面および表示部に向けてキー入力部の上側に露出させ、この状態で発光素子が発光すると、その光が回転体内の反射板によってレンズ部に向けて反射され、この反射された光がレンズ部によってキー入力部および表示部に向けて照射されるので、暗い所でも確実にキー入力部および表示部を明るく照明することができる。
【００３９】
また、照明部が、キー入力部に上下方向に移動可能に設けられ、且つ押圧操作により上限位置と下限位置とに規制される押釦と、この押釦の内部に設けられた反射板と、押釦の側面に設けられて押釦が上限位置に規制されたときに反射板で反射された光をキー入力部の上面および表示部に向けて照射するレンズ部と、このレンズがキー入力部の上側に露出したときに反射板に光を照射する発光素子とを備えていることにより、照明部の押釦が押圧操作により上限位置に規制されてレンズ部がキー入力部の上側に露出し、この状態で発光素子が発光すると、その発光した光が押釦内の反射板によってレンズ部に向けて反射され、この反射した光がレンズ部によってキー入力部および表示部に向けて照射されるので、暗い所でも確実にキー入力部および表示部を明るく照明することができる。
【００４０】
この場合、照明部が、押釦を押圧操作するごとに、押釦を下限位置と上限位置とのいずれかに移動させて位置規制するポップアップ機構を備えていることにより、押釦の押圧操作によってポップアップ機構が押釦を下限位置と上限位置とのいずれかに位置規制するので、押釦の操作が簡単で、容易に押釦を下限位置と上限位置とに切り替えることができ、これにより使い勝手の良いものを得ることができる。
【図面の簡単な説明】
【図１】この発明を電子辞書に適用した第１実施形態における携帯時の外観斜視図。
【図２】図１の上ケースと下ケースとを開いた使用時における外観斜視図。
【図３】図２の側面図。
【図４】図３の要部を拡大して示した断面図。
【図５】この発明を電子辞書に適用した第２実施形態において照明部の押釦をキーボード上に突出させて上限位置に規制した状態における要部の拡大断面図。
【図６】図５の押釦を押し下げて下限位置に規制した状態における要部の拡大断面図。
【図７】この発明を携帯電話機に適用した第３実施形態における携帯時の外観斜視図。
【図８】図７の第１、第２ケースを開いた使用時における外観斜視図。
【符号の説明】
１  下ケース
２  上ケース
３  ヒンジ部
４  キーボード
５  表示部
１０、１５  照明部
１１  回転体
１２、１７  発光素子
１３、１８  反射板
１４、１９  レンズ部
１６  押釦
２０  ガイド筒
２１  コイルばね
２２  弾性フック
２３  ガイド溝
２４  解除突起
３０  第１ケース
３１  第２ケース
【図１】
2005011096.tif 000003
【図２】
2005011096.tif 000004
【図３】
2005011096.tif 000005
【図４】
2005011096.tif 000006
【図５】
2005011096.tif 000007
【図６】
2005011096.tif 000008
【図７】
2005011096.tif 000009
【図８】
2005011096.tif 000010